(57)【特許請求の範囲】
【請求項１】
原稿の画像を読み取る読取手段と、
記録シートに画像を記録する記録手段と、
原稿及び記録シートを搬送するための搬送手段とを備え、
原稿と記録シートを同一の搬送路を用いて搬送する画像読取記録装置において、
前記記録手段が記録シート上を走査する走査手段を備え、
前記読取手段が原稿を押圧する原稿押圧手段を備え、
前記読取手段は、前記記録手段が記録する際に用いる記録材が到達しない位置に配置され、前記原稿押圧手段は、前記読取手段が動作時である場合の動作状態と前記読取手段が非動作時である場合の退避状態との二つの状態を有し、前記動作状態の場合、前記原稿押圧手段は原稿を押圧し、前記退避状態の場合、前記原稿押圧手段は前記搬送手段により搬送される記録シートと干渉しない位置に退避するように構成され、
さらに、前記原稿押圧手段を前記退避状態から前記動作状態へ変位させる駆動力を生成する駆動手段と、前記駆動手段による駆動力を前記原稿押圧手段に伝達する駆動力伝達手段と、前記駆動力伝達手段による駆動力の伝達を切断及び接続する断続手段とを備え、
前記断続手段は、前記走査手段の動作に応じて、前記伝達を切断及び接続する
ことを特徴とする画像読取記録装置。
【請求項２】
読取手段が出力補正を行う際に必要な基準値を前記読取手段に対して与える白地手段をさらに備え、前記白地手段は、前記読取手段が動作時である場合の動作状態と前記読取手段が非動作時である場合の退避状態との二つの状態を有し、前記白地手段は、前記動作状態の場合、前記読取手段に基準値を与える位置に存し、前記退避状態の場合、前記記録材が到達しない位置に退避することを特徴とする請求項１記載の画像読取記録装置。
【請求項３】
前記原稿押圧手段と前記白地手段とは一体に形成されていることを特徴とする請求項２記載の画像読取記録装置。
【請求項４】
付勢手段をさらに備え、前記付勢手段は、前記原稿押圧手段を前記記録材が到達しない位置に近づくように付勢することを特徴とする請求項１乃至３のいずれか１項記載の画像読取記録装置。
【請求項５】
前記断続手段は、互いに係合する係合部と被係合部とにより構成され、前記走査手段が前記係合部に当接することにより、前記係合部が前記被係合部に近づく方向に移動し、前記係合部と前記被係合部とが係合することによって前記伝達を接続することを特徴とする請求項１記載の画像読取記録装置。
【請求項６】
前記記録手段は、記録シートにインクを吐出して画像を記録するインクジェット方式であり、前記記録材はインクであることを特徴とする請求項１〜５のいずれか１項記載の画像読取記録装置。
【請求項７】
前記画像読取記録装置は、前記記録手段が原稿および記録シートの搬送方向に対して直交する方向に往復移動しつつ記録を行うシリアルタイプの記録方式であることを特徴とする請求項１〜６のいずれか１項記載の画像読取記録装置。
【請求項８】
原稿および記録シートの搬送方向上流側に前記読取部を設け、下流側に前記記録部を設けたことを特徴とする請求項１〜７のいずれか１項記載の画像読取記録装置。
【発明の詳細な説明】
【０００１】
【発明の属する技術分野】
本発明は原稿の画像を読み取る読取り手段と記録媒体に画像を記録（印字）する記録手段とを一体的に備えた画像読取記録装置、詳細には、例えば、ファクシミリなどの画像読取記録装置における装置構成に関するものである。
【０００２】
【従来の技術】
従来、ファクシミリなどの画像読取記録装置において、コンタクトセンサやＣＣＤを用いた縮小光学系等を有するラインスキャナ等の読取り手段（画像読取手段）と、記録媒体に画像（画情報）を記録する記録手段とは別々の手段で構成され、さらに用紙搬送経路も各々独立に構成されている。
【０００３】
しかしながら、上記従来例のように読取り手段（原稿画像読取り手段）における用紙搬送経路と記録手段における用紙搬送経路とが各々独立である構成は、読取り手段と記録手段とが同一の用紙搬送経路を有する構成よりも部品点数が多くなり、コストアップ及び装置の大型化の原因となる。
【０００４】
また、特開平１１−１８７２１２には、同一の用紙搬送経路（用紙搬送手段）を用いて読取り動作と記録動作を行う技術が記載されている。同一の用紙搬送経路を有する従来の装置の場合、記録動作時においては、記録ヘッド及びキャリッジの往復移動と干渉しない位置に退避した状態でラインスキャナユニットが保持される。そして、記録媒体が搬送手段によって搬送され、記録ヘッドが記録媒体上を往復移動する間に選択的に記録動作（印字動作）を行う。また、読取り時においては、記録ヘッド及びキャリッジが退避位置に停止し、ラインスキャナユニットが記録ヘッド及びキャリッジの退避位置とは干渉しない位置（記録ヘッド可動空間内）の読取り位置に移動する。読取り動作の場合も、記録動作の場合と同一の用紙搬送経路（用紙通過経路）及び用紙搬送手段によって被読取り媒体が搬送され、前記ラインスキャナユニットが読取り動作を行う。
【０００５】
【発明が解決しようとする課題】
しかし、上記装置では、例えば記録動作時（記録時）において、インクの吐出に伴うミスト状態のインクが、退避位置にあるラインスキャナユニットの読取り面及び白地ユニットの白基準となる読取白地を汚し、読取った画像の画像品質が低下してしまう可能性があった。また、白地ユニットがフレーム内に退避するため、白地ユニットの読取白地の清掃が困難であった。
【０００６】
また、記録動作時において、ミスト状態のインクに影響されない位置に白地ユニットが配置された場合、白地ユニットの存在が記録動作時の記録媒体（記録紙）に負荷を与え、高精細搬送の品質に影響を及ぼす、ラインスキャナユニットの読取面（読取部）の清掃或いは記録媒体（原稿）搬送ジャム時の処理を困難にする、などの問題を発生していた。
【０００７】
そこで、本発明は、白地ユニットが汚れることがなく且つ読取り手段と記録手段とが同一の用紙搬送経路を用いる画像読取記録装置を提供するものである。
【０００８】
【課題を解決するための手段】
本発明による画像読取記録装置は、
原稿の画像を読み取る読取手段と、
記録シートに画像を記録する記録手段と、
原稿及び記録シートを搬送するための搬送手段とを備え、
原稿と記録シートを同一の搬送路を用いて搬送する画像読取記録装置において、
前記記録手段が記録シート上を走査する走査手段を備え、
前記読取手段が原稿を押圧する原稿押圧手段を備え、
前記読取手段は、前記記録手段が記録する際に用いる記録材が到達しない位置に配置され、前記原稿押圧手段は、前記読取手段が動作時である場合の動作状態と前記読取手段が非動作時である場合の退避状態との二つの状態を有し、前記動作状態の場合、前記原稿押圧手段は原稿を押圧し、前記退避状態の場合、前記原稿押圧手段は前記搬送手段により搬送される記録シートと干渉しない位置に退避するように構成され、
さらに、前記原稿押圧手段を前記退避状態から前記動作状態へ変位させる駆動力を生成する駆動手段と、前記駆動手段による駆動力を前記原稿押圧手段に伝達する駆動力伝達手段と、前記駆動力伝達手段による駆動力の伝達を切断及び接続する断続手段とを備え、
前記断続手段は、前記走査手段の動作に応じて、前記伝達を切断及び接続する
ことを特徴とするものである。
【０００９】
また、本発明による画像読取記録装置は、読取手段が出力補正を行う際に必要な基準値を前記読取手段に対して与える白地手段をさらに備え、前記白地手段は、前記読取手段が動作時である場合の動作状態と前記読取手段が非動作時である場合の退避状態との二つの状態を有し、前記白地手段は、前記動作状態の場合、前記読取手段に基準値を与える位置に存し、前記退避状態の場合、前記記録材が到達しない位置に退避するように構成しても良い。
【００１０】
また、本発明による画像読取記録装置は、前記原稿押圧手段と前記白地手段とは一体に形成されても良い。
また、本発明による画像読取記録装置は、付勢手段をさらに備え、前記付勢手段は、前記原稿押圧手段を前記記録材が到達しない位置に近づくように付勢するように構成しても良い。
【００１２】
また、本発明による画像読取記録装置の前記断続手段は、互いに係合する係合部と被係合部とにより構成され、前記走査手段が前記係合部に当接することにより、前記係合部が前記被係合部に近づく方向に移動し、前記係合部と前記被係合部とが係合することによって前記伝達を接続するように構成しても良い。
【００１３】
また、本発明による画像読取記録装置の前記記録手段は、記録シートにインクを吐出して画像を記録するインクジェット方式であり、前記記録材はインクであっても良い。
【００１４】
また、本発明による画像読取記録装置は、前記記録手段が原稿および記録シートの搬送方向に対して直交する方向に往復移動しつつ記録を行うシリアルタイプの記録方式であっても良い。
【００１５】
また、本発明による画像読取記録装置は、原稿および記録シートの搬送方向上流側に前記読取部を設け、下流側に前記記録部を設けても良い。
【００１６】
【発明の実施の形態】
以下、図面を参照して本発明の実施形態によるファクシミリ装置について説明する。以下の実施形態で示す構成は例示であり、本発明は以下の実施形態の構成に限定されない。
【００１７】
図１は本実施形態によるファクシミリ装置の概略構成を示す装置断面図、図２は同装置における記録部の正面図、図３は同装置における読取部近傍の拡大断面図、図４は同装置における読取り駆動系の略図である。尚、本装置は、記録媒体としての記録紙に画像を記録する記録機能と、被読取り媒体としての原稿の画像を読み取るスキャナ機能を有しており、記録紙或いは原稿の共通の搬送路に記録部と読取部とが配置されている。
【００１８】
図１において、装置本体１には以下に説明する構成が備えられている。
【００１９】
記録部２（記録手段に相当）は、装置前方（図１左側）に配置され、用紙搬送経路を搬送されてくる記録紙（記録シートに相当）に対しインクジェット方式を用いて画像を記録する。また、読取部３（読取手段）は、用紙搬送経路上流において記録部２の上流側に配置され、用紙搬送経路を搬送されてくる原稿の画像を読み取る。尚、記録部２及び読取部３の詳細については後述する。
【００２０】
給紙トレイ４は、記録紙を積載するトレイであり、中板４ａ及び中板バネ４ｂを備える。中板バネ４ｂは、中板４ａにおいて記録紙の積載面と反対側に設けられ、中板４ａに対し積載面上方向に付勢力を与える。中板４ａは、中板バネ４ｂから受ける付勢力によって、給紙トレイ４に積載された記録紙を給紙ローラ６に付勢する。また、原稿積載トレイ５は、原稿を積載するトレイであり、原稿の有無を検知する原稿有無センサ８を有する。
【００２１】
給紙ローラ６は、不図示の分離爪との協働により給紙トレイ４に積載された記録紙を最上位から一枚ずつ分離給送する。また、給紙ローラ６は、原稿分離部７との協働により原稿積載トレイ５に積載されている原稿を最下位から一枚ずつ分離給送する。
【００２２】
用紙搬送経路は、原稿を読取位置に給送する原稿給送ローラ９と、記録紙或いは原稿の先後端を検知するシート端検知センサ１０と、記録紙を記録位置に搬送する搬送ローラ１１と、記録動作或いは読取動作が終了した記録紙或いは原稿を装置外へ排出する排紙ローラ１２とを備え、用紙搬送経路が備える上記構成が本発明の搬送手段に相当する。
【００２３】
装置前面には、排紙トレイ１３及び操作部１４が備えられている。排紙トレイ１３は、排出された記録紙或いは原稿を積載するためのトレイであり、装置本体１に対して引き出し収納可能に構成されている。操作部１４は、ダイアルボタン，スタートボタン，表示用のＬＣＤ等を備える。
【００２４】
廃インクパック１５は、記録ヘッド２３のノズルの目詰まりを防止するためのインク（記録材に相当）の予備吐出或いはノズルからインクを吸い出す吸引動作によってもたらされる廃インクを吸収する。装置本体１は、更に電源部１６及び記録制御，読取制御等を行うコントロール基板１７を備える。
〈〈記録部２〉〉
次に、図２を用いて記録部２の構成について説明する。図２において、記録部２の主要部品を搭載するためのプリンタフレーム２１は、記録紙の記録面と並行且つ搬送方向と直交する方向（図２左右方向）に往復走査するキャリッジ２２（走査手段に相当）や、信号に応じてインクを吐出して記録を行うインクジェット方式の記録ヘッド２３等を備える。
【００２５】
キャリッジ２２は、走査基準となるキャリッジレール２６及びガイド板２８にガイドされている。キャリッジ２２は、更にキャリッジモータ２９に固定されたモータプーリ３０と、キャリッジ２２の走査方向においてモータプーリ３０と反対側に設けられたアイドラプーリ３１と、に張架されたキャリッジベルト２７に一箇所で固定されている。
【００２６】
アイドラプーリ３１は、アイドラバネ３２が接続され、アイドラバネ３２によってモータプーリ３０と離れる方向に付勢されている。このため、キャリッジベルト２７は、アイドラプーリ３１に張架されることにより一定の張力が付与される。
【００２７】
フレキシブルケーブル３３は、プリンタフレーム２１の図２における背面側に取り付けられたコントロール基板１７からキャリッジ２２に接続され、記録ヘッド２３に種々の制御信号を伝達する。
【００２８】
記録ヘッド２３は、インクを供給するインクタンク２４を搭載しており、不図示の接点によって電気的に接続されている。尚、インクタンク２４からインクが安定して供給されるように、且つ記録ヘッド２３のノズルからインクが下向きに吐出されるように記録ヘッド２３の向きは設定されている。
【００２９】
搬送モータ３４（駆動手段に相当）は、ステッピングモータ等からなる。搬送モータ３４の駆動力は、搬送モータ３４に固定された搬送モータギア３４ａ，ギア３５，搬送ローラ１１に固定された搬送ローラギア１１ａを介して搬送ローラ１１へ伝達される（図４）。さらに、不図示の伝達ローラを介して排紙ローラ１２へ伝達される。また、搬送モータ３４の駆動力は、キャリッジ２２がホームポジションＰに停止している時に、搬送ローラ１１から不図示の振り子ギアとギア部とを介して給紙ローラ６へ伝達される。更に、記録ヘッド２３のノズルの目詰まりを防止するための吸引動作等を行う回復系ユニット３６へも上記駆動力は伝達される。
【００３０】
図１において、搬送コロ３８は、搬送ローラ１１に圧接して従動的に回転し、押圧バネ３９により押圧されたコロ支持板４０に回転自在に保持されている。この搬送ローラ対（搬送ローラ１１，搬送コロ３８）によって記録紙は記録位置へ搬送される。
【００３１】
拍車４１は、排紙ローラ１２に圧接して従動的に回転する。また、拍車４１は、記録紙上の記録面との接触面積をできるだけ小さくし、インクが乾ききっていない場合であっても記録面を汚さないように形成される。この排紙ローラ対（排紙ローラ１２，拍車４１）によって記録紙は装置外へ排出される。
【００３２】
搬送ローラ１１は記録紙の搬送量を決定するために、その外径寸法が搬送モータ３４の基本ステップ角，駆動方法，ギア部のギア比，解像度等によって決定され、記録紙の高精度の搬送を実現している。また、排紙ローラ１２は搬送ローラ１１の搬送速度より数％（本実施例では３％）程度速い搬送速度で回転するようにその外径が定められている。このため、搬送ローラ１１と排紙ローラ１２との間で記録紙が弛むことが防止される。
【００３３】
また、排紙ローラ１２における記録紙搬送のための圧力は、搬送ローラ１１における上記圧力の１／１０程度に設定され、排紙ローラ１２において排紙ローラ１２と記録紙との間に滑りが生じるようになっている。このため、上記両ローラによる搬送時に、記録紙に常に一定の張力が付与され、一定の速度で記録紙の搬送が行われる。
【００３４】
また、記録ヘッド２３にインクを供給するインクタンク２４のインク残量を検出するインク残量検知センサ３７が、キャリッジ２２の走査方向において回復系ユニット３６と反対側（図２の左側）に配置されている。
【００３５】
〈〈読取部３〉〉
図３及び図４を参照して、読取部（画像読取部）２の構成について説明する。図３において、密着型イメージセンサ５１は、プリンタフレーム２１の用紙搬送経路上流側（図３の右側）に配置され、原稿を密着型イメージセンサ５１に密着させる白地ユニット５２（白地手段，原稿押圧手段に相当）がその上方に配置される。
【００３６】
白地ユニット５２は、密着型イメージセンサ５１の存在する側の面に、読取画像信号の出力レベルの補正をする際に白基準となる読取白地５２ａが設けられ、読取白地５２ａと反対面にバネ５８（付勢手段）が接続されている。
【００３７】
原稿給送コロ５９は、不図示の押圧バネにより原稿給送ローラ９に圧接され、回転自在に保持されることによって原稿給送ローラ９に対して従動的に回転する。この原稿給送ローラ対（原稿給送ローラ９，原稿給送コロ５９）によって、原稿は原稿読取り位置へ搬送される。
【００３８】
原稿給送ローラ９は原稿の搬送量を決定するために、その外径寸法が搬送モータ３４の基本ステップ角，駆動方法，ギア部のギア比，解像度等によって決定され、原稿の高精度搬送を実現している。また、原稿給送ローラ９の搬送速度は、搬送ローラ１１の搬送速度より数％（本実施例では１％）程遅い搬送速度で回転するように、その外径，ギア比等が定められている。このため、原稿給送ローラ９，搬送ローラ１１，排紙ローラ１２の各々の間で原稿が弛むことが防止される。また、原稿給送ローラ９における搬送圧力（原稿を搬送するための圧力）を、搬送ローラ１１における搬送圧力よりも２倍程度に設定し、搬送ローラ１１において原稿と搬送ローラ１１との間に滑りが生じるようになっている。これは、上記両ローラによる搬送時に、原稿に常に一定の張力を付与しつつ、一定の速度で搬送を行うためである。
【００３９】
次に、図４において搬送モータ３４の駆動力を白地ユニット５２，原稿給送ローラ９，及び給紙ローラ６等へ伝達する構成（読取り駆動系の構成）について説明する。
【００４０】
ラチェットギア５３ａは、搬送ローラ１１のギア１１ａと噛合し、軸５３ｃに回転自在に保持される。また、ラチェットギア５３ａは、軸スラスト方向（図中矢印Ｄ方向）に移動自在であり、引っ張りバネ５３ｄから受ける引っ張り力によって、ラチェットギア５３ｂとの噛み合いが外れる方向に付勢されている。
【００４１】
ラチェットギア５３ｂは、ギア６０と噛合し、軸５３ｃに回転自在に保持される。ここで、ラチェットギア５３ａ，５３ｂは本発明の断続手段に相当する。
【００４２】
白地ギア５４は、回転軸５４ａを中心に回転自在であり、ギア６０を介してラチェットギア５３ｂの駆動が白地ギア５４に伝達される。また、白地ギア５４の一端には、白地ユニット５２が滑りクラッチ５５を介して設けられており、白地ギア５４の駆動が白地ユニット５２に伝達される。ここで、搬送ローラギア１１ａ，ギア３５，ラチェットギア５３ａ，５３ｂ，軸５３ｃ，白地ギア５４，回転軸５４ａ，滑りクラッチ５５，及びギア６０が本発明の駆動力伝達手段に相当する。
【００４３】
白地ユニット５２は、回転軸５４ａを中心に回転自在であり、図１及び図３に示される引っ張りバネ５８によって密着型イメージセンサ５１から離れる方向（図３矢印Ｃと反対の方向）に引っ張られている。白地ギア５４から白地ユニット５２に駆動が伝達されない場合（退避状態）、白地ユニット５２は引っ張りバネ５８から受ける引っ張り力によって、図１に示すように、読取白地５２ａがコントロール基板１７と略平行となるような位置（退避位置：記録手段の発する記録材が到達しない位置に相当）に保持される。ただし、引っ張りバネ５８の引っ張り力（張力）は、滑りクラッチ５５の滑りトルクの力よりも小さく設定されている。このため、白地ギア５４に駆動が伝達された場合（動作状態）、滑りクラッチ５５を介してトルクが白地ユニット５２に伝達され、白地ユニット５２は、引っ張りバネ５８から受ける引っ張り力に抗して密着型イメージセンサ５１に近づく方向（図３矢印Ｃの方向）に回転する。白地ユニット５２が矢印Ｃの方向に回転し、密着型イメージセンサ５１に当接する位置（読取手段に基準値を与える位置に相当）まで移動すると、滑りクラッチ５５は滑り出し、その滑りトルクによって白地ユニット５２は密着型イメージセンサ５１の方向に付勢される。読み取る原稿は、上記付勢力によって密着型イメージセンサ５１から浮かないように付勢される。
【００４４】
原稿給送ローラ９及び給紙ローラ６は、ギア６０，白地ギア５４，アイドラギア５６ａ，５６ｂ，ワンウェイクラッチ５７，ギア６１，原稿給送ローラ９に固定されている原稿給送ローラギア９ａ，ギア６２，給送ローラギア６ａを介して、ラチェットギア５３ｂから駆動が伝達される。
【００４５】
次に、上記した読取り駆動系近傍の動作について説明する。キャリッジモータ２９の駆動により、キャリッジ２２がインク残量検知センサ３７のある位置よりさらにアイドラプーリ３１に近づく方向に存する読取記録駆動切替えポジション（図２の二点鎖線で示すＱの位置）に移動された場合、キャリッジ２２の移動とラチェットギア５３ａとが連動し、ラチェットギア５３ａはラチェットギア５３ｂと噛合する方向にスラスト移動する。
【００４６】
ラチェットギア５３ａとラチェットギア５３ｂとが噛み合うと（キャリッジ２２が読取記録駆動切替えポジションＱの位置にあると）、搬送モータ３４の駆動は上記読取り駆動系に伝達される。即ち、搬送モータ３４の正転により、搬送ローラ１１及び排紙ローラ１２が原稿を搬送する方向（正転方向）へ回転すると同時に、搬送ローラギア１１ａの駆動が、ラチェットギア５３ａ，５３ｂ，ギア６０、白地ギア５４へと伝達され、白地ギア５４の回転により白地ユニット５２は、退避位置から密着型イメージセンサに近づく方向（図２矢印Ｃの方向）へ回転移動する。さらに、原稿給送ローラ９及び給紙ローラ６は、図３矢印Ｂの方向に回転し、原稿積載トレイ５に積載（セット）されている原稿を１枚ずつ読取部３へ搬送する。そして、読取部３において読み取られた原稿は、排紙ローラ対によって装置外へ排出される。
従って、給送ローラ６はキャリッジ２２がホームポジションＰあるいは読取記録駆動切替えポジションＱの位置のどちらにあっても、搬送モータ３４の駆動が伝達される。
【００４７】
〈動作例〉
次に上記の如く構成されたファクシミリ装置における、記録動作及び読取り動作について順をおって説明する。
【００４８】
〈〈記録動作〉〉
まず、図１及び図２において、ファクシミリを受信し、受信した画像（受信画像）を記録する（記録動作）場合について説明する。記録動作の場合、原稿積載トレイ５に原稿が積載されていない必要がある。原稿積載トレイ５に原稿が積載されていない場合、原稿有無検知センサ８がＯＦＦとなり、搬送モータ３４が逆転してホームポジションＰにある記録ヘッド２３の回復動作を行う。この後、キャリッジモータ２９の駆動によりキャリッジ２２はインク残量検知センサ３７の上部にあたる位置まで移動され、インク残量検知センサ３７は記録ヘッド２３からのインク吐出を検知する。上記動作の後、本装置は、記録可能状態にあることを認識する。
【００４９】
コントロール基板１７が受信画像の記録を行うための信号を発信すると、キャリッジモータ２９は、駆動を開始し、インク残量検知センサ３７の上部にあたる位置にあるキャリッジ２２をホームポジションＰへ再び戻す。次に、搬送モータ３４は正転し、搬送ローラ１１を介して搬送モータ３４の駆動が給送ローラ６に伝達される。伝達された駆動により、給送ローラ６は図１Ａの方向に回転し、給送ローラ６と不図示の分離爪との協働により給紙トレイ４上の記録紙は最上位から一枚ずつ分離して装置内に供給される。
【００５０】
このときラチェットギア５３ａは引っ張りバネ５３ｄから受ける引っ張り力によって、ラチェットギア５３ｂとの噛み合いが外れており、白地ユニット５２は、回転軸５４ａを中心に引っ張りバネ（白地引っ張りバネ）５８の引っ張り力により、上記退避位置（図１の実線で示す位置）に退避されているため、記録紙は白地ユニット５２によって密着型イメージセンサ５１に圧接されることなく、密着型イメージセンサ５１の上面を通過し、記録紙の先端は搬送ローラ１１と搬送コロ３８とのニップ部へ送り込まれる。ここで、白地ユニット５２の図３矢印Ｃと逆方向の回転は図４のバネクラッチ５７が滑る方向であるため、その回転は原稿給送ローラ９へは伝達されない。
【００５１】
記録紙が搬送ローラ１１と搬送コロ３８のニップ部に送り込まれる際、記録紙の先端は、シート端検知センサ１０によって検知される。シート端検知センサ１０によって記録紙先端が検知されると、記録紙は搬送ローラ１１と搬送コロ３８とによって搬送され、記録紙先端が記録ヘッド２３による記録位置を所定量通過した時点で、記録紙の搬送は一旦停止する。このとき給紙ローラ６は図１に示す如き位置で停止している。
【００５２】
次に、キャリッジモータ２９が正転し、モータプーリ３０，キャリッジベルト２７へキャリッジモータ２９の駆動が伝達され、キャリッジ２２はホームポジションＰから記録紙上へキャリッジレール２６に沿って走査し始める。キャリッジ２２が記録紙上の記録可能領域に到達すると、コントロール基板１７からフレキシブルケーブル３３を介して伝達される画像信号に応じて記録ヘッド２３が駆動される。記録ヘッド２３は、画像信号に応じてインクの吐出を行い、受信画像が記録紙上に形成される。
【００５３】
記録ヘッド２３による画像記録動作と並行してキャリッジ２２がアイドラプーリ３１側まで走査すると、キャリッジモータ２９は逆転し、キャリッジ２２はホームポジションＰ側へ戻される。これと同時に搬送モータ３４は正転し、搬送ローラ１１と搬送コロ３８とによって記録紙が所定量（一回の走査で記録紙上に記録された分）だけ搬送される。そして、上記の如く停止した後、再びキャリッジモータ２９が正転し、上記の如く記録ヘッド２３によって次データの画像記録が行われる。
【００５４】
この時、振り子ギア部がキャリッジ２２の移動に伴って開放されているため、搬送ローラ１１から給紙ローラ６へ駆動は伝達されず、給紙ローラ６は図１に示す位置で停止し、記録紙への搬送には関係しない。
【００５５】
以下、上記動作を繰り返すことにより、記録紙一枚分の画像が記録される。画像記録の終了した記録紙は、排紙ローラ１２と拍車４１とによって装置外の排紙トレイ１３上に排出される。また、受信画像データが複数ページにわたる場合には、給紙ローラ６による給紙動作から上記同様な動作が連続して行われ、自動的に複数ページの画像記録が行われる。
【００５６】
〈〈読取動作〉〉
次に、原稿の画像を読み取りファクシミリを送信する場合の、原稿読取動作について説明する。まず、図３に示すように原稿積載トレイ５に原稿がセットされると、原稿有無検知センサ８がＯＮとなり、本装置は読取可能状態にあることを認識する。
【００５７】
読取可能状態になると、コントロール基板１７の指示によりキャリッジモータ２９は駆動を開始し、キャリッジ２２はホームポジションＰから読取記録駆動切替えポジションＱ（図２、図４）まで移動する。キャリッジ２２の移動により、図４に示すようにラチェットギア５３ａはラチェットギア５３ｂと噛み合う方向にスラスト移動される。ラチェットギア５３ａとラチェットギア５３ｂとが噛み合い、搬送ローラ１１の駆動がラチェットギア５３ａ，５３ｂを介して読取り駆動系へと伝達される。
【００５８】
搬送モータ３４の駆動が読取り駆動系に伝達されると、白地ギア５４が駆動され、退避位置にある白地ユニット５２は引っ張りばね５８による引っ張り力に逆らって、読取白地（白地面）５２ａが密着型イメージセンサ５１の読取面に密着するように降下する。さらに、白地ギア５４が回転している間、滑りクラッチ５５の滑りトルクから引っ張りばね５８の引っ張り力の差分に相当する押圧力により、白地ユニット５２は密着型イメージセンサ５１に押圧される。
【００５９】
コントロール基板１７が原稿読み取りを行うための信号を発信すると、密着型イメージセンサ５１は白地ユニット５２の白地基準を読み取る。一般的に、ライン光源は読取領域全域にわたって均一な光量を有しないため、高品質な読み取りを行う場合には、それに対する補正が必要であり、読取白地を読み取ることにより補正のための基準値を得る（プリスキャン）。
【００６０】
プリスキャンを行った後、搬送モータ３４は正転し、搬送ローラ１１を介して搬送モータ３４の駆動は原稿給送ローラ９及び給紙ローラ６に伝達される。給紙ローラ６は、伝達された駆動により図３矢印Ｂの方向に回転し、原稿分離部７との協働により原稿積載トレイ５上の原稿を最下位から一枚ずつ分離して原稿給送ローラ対に供給する。
【００６１】
原稿は、原稿給送ローラ対により、読取り位置を通り過ぎて搬送ローラ１１と搬送コロ３８のニップ部に送り込まれる。このとき、原稿先端がシート端検知センサ１０によって検知される。搬送モータ３４が駆動された時点から原稿の画像は読取り始められ、シート検知センサ１０が原稿先端を検知するまで、読み取られた画像データは装置のメモリに蓄積される。シート検知センサ１０による原稿端検知が行われる以前に読み取られた画像データ（所定の搬送距離（本実施例では３０ｍｍ）相当分の画像データ）は、原稿の読み取り範囲外として捨てられる。
【００６２】
搬送モータ３４が正転を続ける間、原稿の読み取りは１ライン毎に行われ、原稿搬送経路上流側に存する原稿の後端がシート端検知センサ１０によって検知されるまで、読み取り動作は継続される。原稿後端側の所定量の画像データは、原稿の読み取り範囲外として捨てられる。画像読み取りが終了した原稿は、排紙ローラ１２と拍車４１によって装置外の排紙トレイ１３上へ排出される。このとき、原稿の画像面は下向きであるため、拍車４１によって画像面が傷付けられることはない。また、原稿が複数枚ある場合には、給紙ローラ６による給紙動作から上記同様な動作が連続して行われ、自動的に複数ページの画像読み取りが行われる。
【００６３】
原稿有無センサ８及びシート端検知センサ１０の検知により、原稿の読取動作が終了したと装置が判断すると、キャリッジ２２はホームポジションＰに移動し、読取り駆動系は開放され、白地ユニット５２は引っ張りバネ５８の引っ張り力によって退避位置へ回転移動する。このため、読取り部２の清掃、原稿或いは記録紙がジャムした場合の処理が容易となる。
【００６４】
本ファクシミリ装置はコピー動作も行うことができる。コピー動作を行う場合、読取動作後、読み取られた画像データを装置に備えられたメモリ内に蓄積し、記録動作を連続して行うことで可能となる。
【００６５】
以上のように、本実施形態におけるファクシミリ装置によれば、読取部３は用紙搬送経路において記録部２よりも上流側に配置され、記録動作時には白地ユニット５２は退避位置に退避される。このため、記録動作時のインクの吐出に伴うミスト状のインクが、密着型イメージセンサ５１の読取面や白地ユニット５２の読取白地５２ａを汚すことがなく、高品質な読み取りを行うことが可能となる。
【００６６】
また、記録動作時に白地ユニット５２が密着型イメージセンサ５１から離れて退避されるため、記録紙への負荷がなく高品質な記録を行うことが可能となり、さらに原稿或いは記録紙がジャムした場合の処理が容易となる。
【００６７】
また、白地ユニット５２の退避位置はフレームなどによって覆われておらず、読取部３の清掃が容易となる。
【００６８】
また、読取動作における原稿の搬送手段と記録動作における記録紙の搬送手段とが同一の搬送手段によって実現されているため、部品点数を抑え、小型で低価格の装置を提供することが可能となる。
【００６９】
尚、本発明は上記実施例の装置に限定されるものではなく、例えば、記録紙積載トレイと原稿積載トレイを兼用し、同一の分離搬送手段を用いた装置に適用することによっても上記同様の効果を得ることもできる。
【００７０】
【発明の効果】
本発明においては、記録手段と読取手段とが同一の用紙搬送路を使用し、記録手段が記録動作において使用する記録材によって読取手段が汚れることを防止する。
【図面の簡単な説明】
【図１】本発明に係る画像読取記録装置の概略構成を示す装置断面図である。
【図２】本発明に係る画像読取記録装置における記録部の正面図である。
【図３】本発明に係る画像読取記録装置における読取部の断面図である。
【図４】本発明に係る画像読取記録装置における読取駆動系の略図である。
【符号の説明】
１  装置本体
２  記録部
３  読取部
６  給紙ローラ
９  原稿給送ローラ
１１  搬送ローラ
１２  排紙ローラ
２１  プリンタフレーム
２２  キャリッジ
２４  インクタンク
２９  キャリッジモータ
３０  モータプーリ
３１  アイドラプーリ
３４  搬送モータ
５１  密着型イメージセンサ
５２  白地ユニット
５２ａ  読取白地
５３ａ，５３ｂ  ラチェットギア
５４  白地ギア
５５  滑りクラッチ
５８  引っ張りバネ
Ｐ  ホームポジション
Ｑ  読取記録駆動切換えポジション
【図１】
0003733319.tif 000002
【図２】
0003733319.tif 000003
【図３】
0003733319.tif 000004
【図４】
0003733319.tif 000005